(57)【特許請求の範囲】
【請求項１】
天面部内面にシール部材が設けられた金属製キャップを容器口部に巻き締める際、シール部材の周縁部に形成されたインナーリングとアウターリングとの間に容器口部を挿入し、天面部を下方に押圧した状態でスカート部下端を容器口部の顎部に巻き締めることにより開栓用リング付きのカール部巻き締め式金属製キャップを容器口部に嵌着せしめる容器のキャッピング方法であって、
前記金属製キャップを前記容器口部に巻き締めた後に該金属製キャップの天面部中央部を押圧することによって、前記インナーリングの外周側に、前記カール部内周面の最小内径部より下方側で該最小内径部の内径（Dmin）よりも大きい外方に突出する突出部が形成されることを特徴とする容器のキャッピング方法。
【請求項２】
前記容器が金属製容器であり、容器口部の上端が外側にカールしたカール部からなり、該カール部の内周面が上部最小内径部から下方に向かって外方に傾斜してなる請求項１に記載の容器のキャッピング方法。
【請求項３】
容器口部に嵌合するインナーリングとアウターリングとを有するシール部材を間に介して開栓用リング付きのカール部巻き締め式金属製キャップが該容器口部に形成されたカール部に巻き締められ且つ該カール部の内周面が上部最小内径部から下方に向かって外方に傾斜してなる容器詰め飲料であって、
前記金属製キャップは巻き締められた後に天面部中央部を押圧されたことによって、前記インナーリングの外周側に、前記カール部内周面の最小内径部より下方側で該最小内径部の内径（Dmin）よりも大きい外方に突出する突出部が形成されていることを特徴とする容器詰め飲料。
【発明の詳細な説明】
【技術分野】
【０００１】
本発明は、容器のキャッピング方法および容器詰め飲料、特に安定したシール力を確保することができ且つ落下衝撃等を受けた場合であってもシール部材のシール力を好適に維持することが可能な容器のキャッピン方法および容器詰め飲料に関するものである。
【背景技術】
【０００２】
図５に示すように、開栓用のリング１がキャップのスカート部２の下方に設けられ、そのスカート部２下端のリング１両側の位置から上方に延び、天面部４の周縁部に沿ってリング１と反対側のスカート部２まで延びているスコア（脆弱部）３aが設けられてなる金属製キャップ５０、並びにその金属製キャップが容器口部５に巻き締められた容器詰め飲料５００が広く知られている。この容器詰め飲料５００では、天面部内面にシール部材が設けられた金属製キャップ５０を容器口部５に巻き締める際、シール部材６の周縁部に形成されたインナーリング６０ａとアウターリング６０ｂからなるシール部６０（図６を参照。）に容器口部５を挿入し、天面部を下方に押圧した状態でスカート部２下端を容器口部の顎部に巻き締めることにより金属製キャップ５０を容器口部５に嵌着せしめられる。図６は、この金属製キャップ５０が容器口部５に巻き締められる状態を示す説明図である。金属製キャップ５０の容器口部５に対する巻締めは、コーナ部圧着型３０によってコーナ部３を押圧してシール部材６を容器口部５に十分に当接・変形させた状態で、スカート部圧着型２０によってスカート部２下端を半径方向内側に押し込み、スカート部２の裾部を容器口部外周面の顎部（段差部）に係合させることによって行われる。従って、シール部材６の容器口部５に対するシールは、シール部（環状溝部）６０の環状底面６０ｃからアウターリング６０ｂにかける部位によって行われる。つまり、インナーリング６０ａは容器口部５のシールに対してはほとんど寄与していないことになる。
ところで、キャップ本体内周面端部にライナー（シール部材）を設けたキャップを容器口筒に嵌合し、次に突出部を有する押圧体によってキャップ天壁上面を下方に押圧して、天壁を陥没変形させ、ライナーが口筒内周面上端部に弾接して密かつ強固に当接すると同時に、口筒の上端面および外周面上端部にも密に当接するようにし、これによって口筒の内周面上端部から上端面そして外周面上端部にわたっての三面にライナーが弾接して高い気密性を発揮されることになるというキャッピング方法が知られている（特許文献１を参照。）。
このキャッピング方法では、ライナーが加熱された後、冷却する際、収縮変形を起こして内方にずれようとするが、ライナーが上記三面（口筒の内周面上端部、上端面そして外周面上端部）に弾接することによってライナーの収縮変形による内方のずれ移動がその部分で阻止されることになり、ライナーのずれ移動が抑制されるという。
【先行技術文献】
【特許文献】
【０００３】
【特許文献１】特開平１−９９９９０号公報
【発明の開示】
【発明が解決しようとする課題】
【０００４】
上記キャッピング方法では、キャップを口筒に組み付けた後、カーリング体によって「口筒段部に下方から係止する」カール部をキャップ周壁下端部に形成するとしている（特許文献１の３頁左下部２行目から５行目を参照。）。及び第１図乃至第３図から明らかなように、上記キャッピング方法では、キャップのスカート裾部を口筒に係合させずに端部フリーな状態でキャップ天壁を押圧体によって下方に押圧し、その後キャップ周壁下端を口筒に巻き締めている。押圧体がキャップ天壁を陥没変形させる過程において、キャップ周壁の高さが左右でずれることがあり、その後のキャップ周壁を巻き締めると周壁の高さの低い部分で巻き締めの弱い部分が生じ、落下衝撃等に対して安定したシール力を確保することが難しいという問題がある。
そこで、本発明が解決しようとする課題は、上記従来技術の問題点に鑑みなされたものであって、安定したシール力を確保することができ且つ落下衝撃等を受けた場合であってもシール部材のシール力を好適に維持することが可能な容器のキャッピン方法および容器詰め飲料を提供することにある。
【課題を解決するための手段】
【０００５】
前記目的を達成するための請求項１に記載の容器のキャッピング方法は、天面部内面にシール部材が設けられた開栓用リング付きのカール部巻き締め式金属製キャップを容器口部に巻き締める際、シール部材の周縁部に形成されたインナーリングとアウターリングとの間に容器口部を挿入し、天面部を下方に押圧した状態でスカート部下端を容器口部の顎部に巻き締めることにより金属製キャップを容器口部に嵌着せしめる容器のキャッピング方法であって、
前記金属製キャップを前記容器口部に巻き締めた後に該金属製キャップの天面部中央部を押圧することによって、前記インナーリングの外周側に、前記カール部内周面の最小内径部より下方側で該最小内径部の内径（Dmin）よりも大きい外方に突出する突出部が形成されることを特徴とする。
上記容器のキャッピング方法では、金属製キャップを巻き締めた後に更に金属製キャップの天面部中央を押圧して凹部を形成することによって、当初からシールに寄与しているシール部位のシール力を更に強化すると共に当初はシールに寄与していなかった内側環状壁面をシールに寄与させることが可能となる。また、スカート部下端を容器口部の顎部に巻き締めた後に天面部中央を下方に押圧してインナーリングを容器口部内周面に圧着することにより、スカート部の巻き締め状態を安定にし、シール力を好適に維持することが可能となるのである。更に、後述するように容器口部の上端にカール部を設け、該カール部の内周面を上部最小内径部から下方に向かって外方に傾斜した形状にした場合には、天面部中央を下方に押圧することによりインナーリングの外周面を容器口部の傾斜した内周面に圧着することができる。これにより、例えば落下衝撃等を受けた場合にも、インナーリングのシール力により、好適に密封性が保持されることになる。
【０００６】
請求項２に記載の容器のキャッピング方法では、容器口部の上端が外側にカールしたカール部からなり、該カール部の内周面が上部最小内径部から下方に向かって外方に傾斜してなることとした。
上記容器のキャッピング方法では、特に容器口部の上端が下方に向かって外方に傾斜している場合に、当初はあまりシールに寄与していなかったインナーリングについてもシールに好適に寄与させると共に、インナーリングの外周面を容器口部の傾斜内周面に密着させることが可能となる。
【０００７】
本発明の容器のキャッピング方法では、前記金属製キャップの天面部中央部を押圧することによって、前記インナーリングの外周側に、前記カール部内周面の最小内径部より下方側で該最小内径部の内径（Dmin）よりも大きい外方に突出する突出部が形成されることとしたが、このキャッピング方法では、当初はあまりシールに寄与していなかったインナーリングについてもシールに好適に寄与させると共に、インナーリング外周面の突出部により容器口部の傾斜内周面に密着係止させることが可能となる。
また、上記容器のキャッピング方法では、落下衝撃等によって金属製キャップの締付け力が低下する場合であっても、インナーリングの外周面が容器口部内周面に当接して、シール部材のシール力が低下しなくなる。また、飲料が炭酸飲料等の場合は、突出部がストッパーとして機能し、飲料の噴出を好適に防止する。
【０００８】
前記目的を達成するための請求項３に記載の容器詰め飲料では、容器口部に嵌合するインナーリングとアウターリングとを有するシール部材を間に介して開栓用リング付きのカール部巻き締め式金属製キャップが該容器口部に形成されたカール部に巻き締められ且つ該カール部の内周面が上部最小内径部から下方に向かって外方に傾斜してなる容器詰め飲料であって、
前記金属製キャップは巻き締められた後に天面部中央部が押圧されたことによって、前記インナーリングの外周側に、前記カール部内周面の最小内径部より下方側で該最小内径部の内径（Dmin）よりも大きい外方に突出する突出部が形成されていることを特徴とする。
上記容器詰め飲料では、落下衝撃等を受けた場合であっても締付け力を低下させることが有効に防止されることとなる。
【発明の効果】
【０００９】
本発明の容器のキャッピング方法によれば、金属製キャップのシール力を更に強化すると共に、金属製キャップの締付け力が低下する場合であっても、金属製キャップのシール力を好適に維持させることが可能となる。
また、金属製キャップの締付け力がばらつくことなく、均一かつ安定したシール力を維持することができる。
更に、本発明の容器詰め飲料は、落下衝撃等の金属製キャップの締付け力を低下させる要因に対して冗長性を有すると共に、金属製キャップの締付け力が低下する場合でも高い気密性を保持することが可能となる。
【図面の簡単な説明】
【００１０】
【図１】本発明に使用される金属製キャップの平面図及び断面図である。
【図２】本発明に使用される金属製キャップの側面図である。
【図３】本発明の容器詰め飲料を示す斜視説明図である。
【図４】本発明の容器のキャッピング方法を示す説明図である。
【図５】従来の容器詰め飲料を示す斜視説明図である。
【図６】従来の容器のキャッピング方法を示す説明図である。
【発明を実施するための形態】
【００１１】
以下、図に示す実施の形態により本発明をさらに詳細に説明する。
【００１２】
図１−２は、本発明の金属製キャップを示す説明図である。図１(a)はその平面図であり、同(b)はそのＡ−Ａ断面図であり、同(c)はそのシール部の拡大図である。また、図２は図１のＢ矢視図である。
本発明に使用する金属製キャップ１０は、天面部４と天面部４の周縁部から垂下するスカート部２とからなり、天面部４内面にシール部材６が接着固定されている。シール部材６はその周縁にインナーリング６０ａとアウターリング６０ｂとからなるシール部６０が形成され、インナーリング６０ａの内周側は薄肉中央部６０ｄとなっている。インナーリング６０ａとアウターリング６０ｂの間の間に容器口部が挿入され、シール部を形成する。インナーリング６０ａとアウターリング６０ｂの間には環状底面６０ｃが形成されている。
【００１３】
図３は、本発明の容器詰め飲料１００を示す斜視説明図である。
本発明の容器詰め飲料１００は、容器口部５に嵌合するインナーリング６０ａとアウターリング６０ｂを有するシール部材６（図１(c)を参照。）と、シール部材６を締め付ける金属製キャップ１０と、飲料を収容する開口部（容器口部）５にカール部７（図４を参照。）が形成されている容器Ｂとから構成され、金属製キャップ１０が容器口部５に巻き締められた後に天面部４中央部に凹部４aを形成するエンボス加工が施されている。なお、このエンボス加工の詳細については、図４を参照しながら後述する。
このエンボス加工によって、当初のシール部位であるシール部材６の環状底面６０ｃおよびアウターリング６０ｂのシール力が更に増大すると共に、当初はシールに寄与していなかったシール部材６のインナーリング６０ａについてもシールに寄与させることが可能となる。加えて、シール部材６のインナーリング６０ａによる突出部が形成されることによって、金属製キャップ１０の締付け力が低下する場合であっても、シール部材６のシール力が好適に保持されるようになる。つまり、突出部が形成されることによって、金属製キャップ１０の締付け力が低下する場合であっても本容器詰め飲料１００は高い密封性を保持することが可能となる。
また、飲料が炭酸飲料の場合は、落下衝撃等によってヘッドスペースの圧力が高まり、最悪の場合、ヘッドスペースの圧力がキャップ締付け力より大きくなり、飲料が容器外部に噴出しようとするが、突出部がストッパーとして機能し、飲料の噴出を好適に防止する。なお、容器Ｂとしては、例えば金属製容器以外のガラス容器或いはペットボトル等の樹脂製容器にも使用することが可能である。
【００１４】
図４は、本発明の容器のキャッピング方法に係るエンボス加工を示す説明図である。
先ず、図４に示すように、シール部材６のインナーリング６０ａとアウターリング６０ｂの間に容器口部５のカール部７が挿入された状態で、金属製キャップ１０のスカート部２裾部を容器口部５のカール部７に巻き締める。すなわち、コーナ部圧着型３０によって金属製キャップ１０のコーナ部３を圧着しながら、続いてスカート部圧着型２０によって金属製キャップ１０のスカート部２を半径方向内側に押し込んで、スカート部２の裾部をカール部７の外周面の段差に係合させる。
【００１５】
次に、金属製キャップ１０のコーナ部３及びスカート部２が各々の型によって圧着された状態を保持し、天面部プレス型４０によって天面部４のインナーリング６０ａより若干内側の部位を軸方向下方に押圧して天面部４に凹部４aを形成する。なお、天面部プレス型４０の押圧は、凹部４aの形成後に容器口部５カール部７の内周面の最小内径Dmin＜シール部材６のインナーリング６０ａ（突出部）の最大外径dmaxとなるまで、好ましくは、シール部６０のインナーリング６０ａが容器口部５の内周面に密着するまで行うこととする。
【産業上の利用可能性】
【００１６】
本発明の容器のキャッピング方法および容器詰め飲料は、清涼飲料水を収容する容器のキャッピンに対し好適に適用することが可能である。
【符号の説明】
【００１７】
１        リング
２        スカート部
３        コーナ部
３a       スコア
４        天面部
５        容器口部
６        シール部材
１０      金属製キャップ
２０      スカート部圧着型
３０      コーナ部圧着型
４０      天面部プレス型
６０      シール部（環状溝部）
６０a     インナーリング
６０b     環状底面
６０c     アウターリング
１００    容器詰め飲料
【図１】
0005388345.tif 000002
【図２】
0005388345.tif 000003
【図３】
0005388345.tif 000004
【図４】
0005388345.tif 000005
【図５】
0005388345.tif 000006
【図６】
0005388345.tif 000007